(57)【要約】【課題】カメラデバイスに関する。【解決手段】レンズモジュール、ハウジング、イメージセンサー及び駆動装置を含み、該ハウジングがフロントハウジング及びバックハウジングを含み、その内部にイメージセンサーホルダを設置し、該イメージセンサーホルダが複数の該レンズモジュールの光軸方向に平行なガイドにより該フロントハウジングに連接し、該ガイドで該光軸方向に沿ってスライドでき、一つのバネにより該バックハウジングに連接し、該イメージセンサーが該イメージセンサーホルダに固定され、該駆動装置が該バックハウジングに固定され、本体及び駆動軸を含み、該駆動軸が該本体に相対して直線運動でき、その端部が該イメージセンサーホルダに当接し、該イメージセンサーホルダが該駆動軸の推進力によりレンズモジュールに向かってスライドし、該バネの弾性回復力によりレンズモジュールから離れる方向へスライドするカメラデバイス。【選択図】図１
2011008222.tif 000002
【特許請求の範囲】
【請求項１】
レンズモジュール、ハウジング、イメージセンサー及び駆動装置を含み、前記レンズモジュールが前記ハウジングに固定するカメラデバイスにおいて、
前記ハウジングがフロントハウジング及びバックハウジングを含み、その内部に一つのイメージセンサーホルダを設置し、
前記イメージセンサーホルダが複数の前記レンズモジュールの光軸の方向に平行なガイドによって前記フロントハウジングに連接し、前記ガイド上で前記レンズモジュールの光軸の方向に沿ってスライドでき、一つのバネによって前記バックハウジングに連接し、
前記イメージセンサーが前記イメージセンサーホルダに固定され、
前記駆動装置が前記バックハウジングに固定し、本体及び駆動軸を含み、前記駆動軸が前記本体に相対して直線運動でき、その端部が前記イメージセンサーホルダに当接し、前記イメージセンサーホルダが前記駆動軸の推進力によって、前記レンズモジュールに向かってスライドし、前記バネの弾性回復力によって前記レンズモジュールから離れる方向へスライドすることを特徴とするカメラデバイス。
【請求項２】
前記バックハウジングが２つの側壁と、前記２つの側壁に直交するように接続する１つの底壁と、前記底壁の上表面に直交するように設置され且つ前記２つの側壁との間に位置する１つの固定板を含み、前記固定板が半円形の切り欠き部を有し、前記駆動装置の本体が前記切り欠き部に収容された状態で固定されることを特徴とする、請求項１に記載のカメラデバイス。
【請求項３】
前記固定板の前記切り欠き部の下側には、第一フックが形成され、前記イメージセンサーホルダには、前記第一フックに対応する第二フックが形成され、前記バネの各端はそれぞれ前記第一フック及び前記第二フックに引っ掛けることを特徴とする、請求項２に記載のカメラデバイス。
【請求項４】
前記フロントハウジングの内側面には、複数の固定孔が開設されており、前記イメージセンサーホルダには、前記複数の固定孔に対応する複数のガイド孔が開設されており、前記ガイド孔を貫く前記ガイドの一端は前記固定孔の中に挿し込まれた状態で固定され、他端が前記固定板に当接することを特徴とする、請求項２に記載のカメラデバイス。
【発明の詳細な説明】
【技術分野】
【０００１】
本発明は、カメラデバイスに関するものである。
【背景技術】
【０００２】
科学技術の発展に伴って、電子機器は、だんだん小型化になる。例えば、ポータブルデジタルカメラは、非常に人気がある。
【０００３】
現在のカメラデバイスのフォーカシング機構は、駆動モータ、伝送ギヤーなどの装置を含み、従って、フォーカシングする時、駆動モータと伝送ギヤーなどの装置はお互いに協力し、レンズを移動させ、レンズとイメージセンサーとの距離を変化させることにより、フォーカシングすることができる。しかし、複雑なギヤー機構のために、フォーカシング機構は複雑で、重くなり、さらなる小型化を実現することができない。
【発明の概要】
【発明が解決しようとする課題】
【０００４】
前記課題を解決するために、本発明はフォーカシング機構が簡単であるカメラデバイスを提供することである。
【課題を解決するための手段】
【０００５】
本発明に係るカメラデバイスは、レンズモジュール、ハウジング、イメージセンサー及び駆動装置を含み、前記レンズモジュールが前記ハウジングに固定され、前記ハウジングがフロントハウジング及びバックハウジングを含み、その内部に一つのイメージセンサーホルダを設置し、前記イメージセンサーホルダが複数の前記レンズモジュールの光軸の方向に平行なガイドによって前記フロントハウジングに連接し、前記ガイド上で前記レンズモジュールの光軸の方向に沿ってスライドでき、一つのバネによって前記バックハウジングに連接し、前記イメージセンサーが前記イメージセンサーホルダに固定され、前記駆動装置が前記バックハウジングに固定され、本体及び駆動軸を含み、前記駆動軸が前記本体に相対して直線運動でき、その端部が前記イメージセンサーホルダに当接し、前記イメージセンサーホルダが前記駆動軸の推進力によって、前記レンズモジュールに向かってスライドし、前記バネの弾性回復力によって前記レンズモジュールから離れる方向へスライドすることを特徴とする。
【０００６】
前記レンズモジュールが前記フロントハウジングの外側面に固定されることを特徴とする。
【０００７】
前記バックハウジングが２つの側壁と、前記２つの側壁に直交するように接続する１つの底壁と、前記底壁の上表面に直交するように設置され且つ前記２つの側壁との間に位置する１つの固定板を含み、前記固定板が半円形の切り欠き部を有し、前記駆動装置の本体が前記切り欠き部に収容された状態で固定されることを特徴とする。
【０００８】
前記固定板の前記切り欠き部の下側には、第一フックが形成され、前記イメージセンサーホルダには、前記第一フックに対応する第二フックが形成され、前記バネの各端はそれぞれ前記第一フック及び前記第二フックに引っ掛けることを特徴とする。
【０００９】
前記フロントハウジングの内側面には、複数の固定孔が開設されており、前記イメージセンサーホルダには、前記複数の固定孔に対応する複数のガイド孔が開設されており、前記ガイド孔を貫く前記ガイドの一端は前記固定孔の中に挿し込まれた状態で固定され、他端が前記固定板に当接することを特徴とする。
【発明の効果】
【００１０】
従来の技術と比べると、本発明のカメラデバイスは、駆動装置及びバネによって、イメージセンサーホルダをスライドさせるとともに、前記イメージセンサーホルダに固定されるイメージセンサーを連動して、レンズモジュールと前記イメージセンサーとの間の距離を変化させることにより、前記カメラデバイスのフォーカシングを実現でき、フォーカシング機構が簡単である。
【図面の簡単な説明】
【００１１】
【図１】本発明のカメラデバイスの分解図である。
【図２】本発明のカメラデバイスの組立図である。
【発明を実施するための形態】
【００１２】
以下、図面を参照して、本発明の実施例について説明する。
【００１３】
図１を参照すると、本発明の実施例に係わるカメラデバイス１０は、レンズモジュール１００、ハウジング２００、イメージセンサー３００、イメージセンサーホルダ４００及び駆動装置５００を含む。
【００１４】
前記レンズモジュール１００は、前記ハウジング２００の外側に固定されており、前記イメージセンサー３００、前記イメージセンサーホルダー４００及び前記駆動装置５００は、前記ハウジング２００の内部に設置される。本実施例において、前記カメラデバイス１０は、ビデオカメラである。
【００１５】
前記ハウジング２００は、フロントハウジング２１０及びバックハウジング２２０を含む。
【００１６】
前記レンズモジュール１００は、前記フロントハウジング２１０の外側面に固定される。前記フロントハウジング２１０の内側面には、複数の固定孔２１１が開設されており、前記フロントハウジング２１０の底側には、それぞれ一つの第一螺孔２１２１を有する２つの連接部２１２が設置される。
【００１７】
前記バックハウジング２２０は、２つの側壁２２１と、前記２つの側壁２２１に直交するように接続する１つの底壁２２２と、前記底壁２２２の上表面に直交するように設置され且つ前記２つの側壁２２１との間に位置する１つの固定板２２３を含む。前記底壁２２２には、前記フロントハウジング２０１の２つの第一螺孔２１２１に対応する２つの第二螺孔２２２１が開設されるため、ネジによって前記フロントハウジング２１０を前記バックハウジング２２０に固定することができる。前記固定板２２３は、半円形の切り欠き部２２３１を有する。前記固定板２２３の前記切り欠き部２２３１の両側には、それぞれ１つの第三螺孔２２３２が開設されており、前記固定板２２３の前記切り欠き部２２３１の下側には、第一フック２２３３が形成される。
【００１８】
前記イメージセンサー３００は、前記イメージセンサーホルダ４００に固定される。前記イメージセンサーホルダ４００は、物体側に位置する１つの前壁４０１、像側に位置する１つの後壁４０３及び前記前壁４０１と前記後壁４０３を連接する２つの側壁４０２を含む。
【００１９】
前記イメージセンサーホルダ４００の前壁４０１には、前記フロントハウジング２１０の複数の固定孔２１１に対応する複数のガイド孔４０１ａが開設されており、前記イメージセンサーホルダ４００は、複数のガイド６００によって前記フロントハウジング２１０に連接する。前記ガイド孔４０１ａを貫く前記ガイド６００の一端は前記固定孔２１１の中に挿し込んで固定され、他端は前記固定板２２３に当接する。前記ガイド６００は、前記レンズモジュール１００の光軸の方向に平行なため、前記イメージセンサーホルダ４００は、前記ガイド６００上で前記レンズモジュール１００の光軸の方向に沿って前記フロントハウジング２１０と前記固定板２２３との間でスライドできる。
【００２０】
前記イメージセンサーホルダ４００の後壁４０３には、前記第一フック２２３３に対応する第二フック４０２ａが形成される。１つのバネ７００の各端はそれぞれ前記第一フック２２３３及び前記第二フック４０２ａに引っ掛ける。
【００２１】
前記駆動装置５００は、ステッピングモーターであり、本体５１０及び駆動軸５２０を含み、前記本体５１０には、前記固定板２２３の第三螺孔２２３２に対応する第四螺孔５１０１が開設され、前記駆動軸５２０は前記本体５１０に相対して直線運動できる。
【００２２】
ネジ、前記第三螺孔２２３２及び前記第四螺孔５１０１によって、前記本体５１０が前記固定板２２３の切り欠き部２２３１に収容されるように前記駆動装置５００を前記固定板２２３に固定する。
【００２３】
前記駆動軸５２０は、前記レンズモジュール１００の光軸の方向に平行であり、その端部は、前記イメージセンサーホルダ４００に当接する。前記駆動装置５００を作動すると、前記駆動軸５２０の推進力によって、前記イメージセンサーホルダ４００が前記レンズモジュール１００に向かってスライドする。
【００２４】
図２を参照すると、前記カメラデバイス１０がフォーカシングする場合、前記駆動装置５００を作動して、前記駆動軸５２０が前記レンズモジュール１００に向かって直線運動する場合、前記駆動軸５２０の推進力によって前記イメージセンサーホルダ４００が前記レンズモジュール１００に向かってスライドするとともに前記バネ７００が変形し、前記駆動軸５２０が前記レンズモジュール１００から離れる方向へ直線運動する場合、前記イメージセンサーホルダ４００は前記バネ７００の弾性回復力によって前記レンズモジュール１００から離れる方向へスライドする。従って、前記イメージセンサーホルダ４００に固定されるイメージセンサー３００を連動して、前記レンズモジュール１００と前記イメージセンサー３００との間の距離を変化させることができ、フォーカシングすることを実現する。
【符号の説明】
【００２５】
１０  カメラデバイス
１００  レンズモジュール
２００  ハウジング
３００  イメージセンサー
４００  イメージセンサーホルダ
５００  駆動装置
６００  ガイド
７００  バネ
２１０  フロントハウジング
２２０  バックハウジング
２１１  固定孔
２１２  連接部
２１２１  第一螺孔
２２１  側壁２２１
２２２  底壁
２２３  固定板
２２２１  第二螺孔
２２３１  切り欠き
２２３２  第三螺孔
２２３３  第一フック
５１０  本体
５２０  駆動軸
５１０１第四螺孔
４０１  前壁
４０２  側壁
４０３  後壁
４０１ａ  第二フック
【図１】
2011008222.tif 000003
【図２】
2011008222.tif 000004